(57)【要約】【課題】給紙部にセットしている用紙種類を意識することなく印刷し無駄な紙の消費をなくして自動的に製本することができるプリンタ装置を提供する。【解決手段】給紙部において紙質検出手段で紙質を検出し、紙厚検出手段で紙の厚さを検出し、紙色検出手段で紙色を検出して、その検出結果に基づいて上位装置から指定した用紙種類に対応した用紙を選択して印刷、製本する。【選択図】図１
2009220921.tif 000002
【特許請求の範囲】
【請求項１】
給紙部に用紙の種類を検出する用紙種類検出手段を設け、上位装置から送信されたデータを受信して、上位装置で指定された用紙種類に合った用紙を前記用紙種類検出手段に基づいて複数の給紙部にセットしてある用紙から選択し、選択された用紙に印刷して製本することを特徴とするプリンタ装置。
【請求項２】
給紙部に用紙の紙質を検出する紙質検出手段を設け、上位装置から送信されたデータを受信して、上位装置で指定された紙質に合った用紙を前記紙質検出手段に基づいて複数の給紙部にセットしてある用紙から選択し、選択された用紙に印刷して製本することを特徴とするプリンタ装置。
【請求項３】
給紙部に用紙の紙厚を検出する紙厚検出手段を設け、上位装置から送信されたデータを受信して、上位装置で指定された紙厚に合った用紙を前記紙厚検出手段に基づいて複数の給紙部にセットしてある用紙から選択し、選択された用紙に印刷して製本することを特徴とするプリンタ装置。
【請求項４】
給紙部に用紙の紙色を検出する紙色検出手段を設け、上位装置から送信されたデータを受信して、上位装置で指定された紙色に合った用紙を前記紙色検出手段に基づいて複数の給紙部にセットしてある用紙から選択し、選択された用紙に印刷して製本することを特徴とするプリンタ装置。
【請求項５】
請求項１記載のプリンタ装置において、上位装置で指定されたページ毎の用紙種類に合った用紙を前記用紙種類検出手段に基づいて複数の給紙部にセットしてある用紙から選択し、選択された用紙に印刷して製本することを特徴とするプリンタ装置。
【請求項６】
請求項１乃至５記載のプリンタ装置において、給紙部が一つだけの場合、上位装置側で用紙種類を自動にした時は、プリンタの給紙部にセットしている用紙種類を検出しその用紙種類のモードで印刷することを特徴とするプリンタ装置。
【発明の詳細な説明】
【技術分野】
【０００１】
本発明はプリンタ装置に関するものである。
【背景技術】
【０００２】
従来は、プリンタにおいて上位装置から指定する用紙種類をセットしている給紙部を意識して設定し印刷していたが、この印刷方法では、用紙種類の数が限られていた為自動的に製本することができなかった。加えて、上位装置側でプリンタの給紙部にセットしている用紙種類を意識しなければならなかった。そのため、誤った用紙種類への印刷をすることによる無駄な紙の消費があった。手動で製本しなければならなかった。
【０００３】
そこで、特許文献１（特開平７−１８７４７５号公報）には、用紙を判別して選択するプリンタが開示されている。
【０００４】
【特許文献１】特開平７−１８７４７５号公報
【発明の開示】
【発明が解決しようとする課題】
【０００５】
しかしながら、特許文献１は、紙質、紙厚および色紙を検知するのを、１つのセンサで行っており、給紙切換を詳細に行うことが課題となっていた。
【０００６】
本発明の目的は、給紙部にセットしている用紙種類を意識することなく印刷し無駄な紙の消費をなくして自動的に製本することができるプリンタ制御装置を提供することにある。
【課題を解決するための手段】
【０００７】
上記課題を解決するために本発明は、給紙部に用紙の種類を検出する用紙種類検出手段を設け、上位装置から送信されたデータを受信して、上位装置で指定された用紙種類に合った用紙を前記用紙種類検出手段に基づいて複数の給紙部にセットしてある用紙から選択し、選択された用紙に印刷して製本することを特徴とするものである。
【０００８】
更に請求項２の発明は、給紙部に用紙の紙質（コート紙、再生紙等）を検出する紙質検出手段を設け、上位装置から送信されたデータを受信して、上位装置で指定された紙質に合った用紙を前記紙質検出手段に基づいて複数の給紙部にセットしてある用紙から選択し、選択された用紙に印刷して製本することを特徴とするものである。
【０００９】
更に、請求項３の発明は、給紙部に用紙の紙厚（厚紙、普通紙等）を検出する紙厚検出手段を設け、上位装置から送信されたデータを受信して、上位装置で指定された紙厚に合った用紙を前記紙厚検出手段に基づいて複数の給紙部にセットしてある用紙から選択し、選択された用紙に印刷して製本することを特徴とするものである。
【００１０】
更に、請求項４の発明は、給紙部に用紙の紙色（白紙、赤紙等）を検出する紙色検出手段を設け、上位装置から送信されたデータを受信して、上位装置で指定された紙色に合った用紙を前記紙色検出手段に基づいて複数の給紙部にセットしてある用紙から選択し、選択された用紙に印刷して製本することを特徴とするものである。
【００１１】
更に、請求項５の発明は、上位装置で指定されたページ毎の用紙種類に合った用紙を前記用紙種類検出手段に基づいて複数の給紙部にセットしてある用紙から選択し、選択された用紙に印刷して製本することを特徴とするものである。
【００１２】
更に、請求項６の発明は、給紙部が一つだけの場合、上位装置側で用紙種類を自動にした時は、プリンタの給紙部にセットしている用紙種類を検出しその用紙種類のモードで印刷することを特徴とするものである。
【発明の効果】
【００１３】
本発明によれば、様々な種類の用紙種類を印刷する場合、プリンタ制御部は上位装置から送信されたデータを受信して、給紙部の用紙種類を用紙種検出手段で検出することでユーザが給紙部にセットしている用紙種類を意識せずに一致した用紙種類で印刷することができ、無駄な紙への印刷を抑えられ紙の節約と自動製本を可能とする効果がある。
【発明を実施するための最良の形態】
【００１４】
図１は、本発明におけるプリンタの構成図である。
【００１５】
演算手段１０２は上位装置１０１で生成した製本レイアウト情報を解析し、解析した結果の用紙種を紙識別手段１０３で検索し、指定した用紙種がセットしてあるカセットにカセット切換手段１０４で切換え印刷する。その印刷物を製本後処理手段１０５で製本する。
【００１６】
図２は、本発明のプリンタ印刷方法を説明するための処理フローである。
【００１７】
処理２０１は上位装置で生成した製本レイアウト情報を入力、処理２０２の演算手段で入力データの用紙種類を解析する。条件判別２０３は手差しに紙があるかないかを判別し、手差しに紙がある場合は処理２０４へ、ない場合は処理２０６を行う。手差しに紙がある場合は処理２０４で手差しにセットしてある用紙種を解析、処理２０５では処理２０４で解析した用紙種のモードで印刷し処理２０８で製本する。手差しに紙がない場合は処理２０６では上位装置で指定した用紙種がセットしてあるカセットを検索し、処理２０７では処理２０６で検索したカセットから印刷を行い処理２０８で製本する。なお、用紙を検知するのに、用紙の種類、紙質、紙厚、紙色のどれでも構わない。また、検知する対象をページ毎にしてもいい。
【図面の簡単な説明】
【００１８】
【図１】本発明におけるプリンタの構成図。
【図２】本発明のプリンタ印刷方法を説明するための処理フロー。
【符号の説明】
【００１９】
１０１：上位装置、１０２：演算手段、１０３：紙識別手段、１０４：カセット切換手段、１０５：製本後処理手段。
【図１】
2009220921.tif 000003
【図２】
2009220921.tif 000004